(57)【特許請求の範囲】
【請求項１】
収納本体と、手提げ部と、抱持部とを備え、該抱持部は、杖のグリップを抱持すると共に前記手提げ部は前記グリップに吊下げ可能とし、前記手提げ部は平帯状で且つ前記収納本体の横方向の一方から他方に向けて連結される構成とし、前記抱持部は、前記手提げ部と並列状に配置され、該手提げ部の長手方向中間箇所で且つ幅方向両側から下方に向かって延在する垂下状カバー材が形成され、該両垂下状カバー材にて、前記杖のグリップを挟持状態で抱持可能にすると共に前記両垂下状カバー材は、平帯状の前記手提げ部の下面側に対して重合状態で折り畳み可能とし、前記垂下状カバー材と前記手提げ部との付根部分には折り曲げ易くなるように折りくせが付けられ、且つ前記両垂下状カバー材は、折り曲げた時に相互に干渉しないように、一方の垂下状カバー材を他方の垂下状カバー材よりも上下方向に短く形成されてなることを特徴とするバッグ。
【請求項２】
請求項１において、前記両垂下状カバー材には、接合具が具備され、該接合具を介して重合状態で前記両垂下状カバー材同士が接合される構成としてなることを特徴とするバッグ。
【請求項３】
収納本体と、手提げ部と、抱持部とを備え、該抱持部は、杖のグリップを抱持すると共に前記手提げ部は前記グリップに吊下げ可能とし、前記手提げ部は平帯状とし、前記抱持部は前記手提げ部の幅方向両側で且つ長手方向に沿って並列に配置された２つの紐状部材としてなることを特徴とするバッグ。
【請求項４】
請求項３において、前記抱持部を構成する２本の紐状部材と、前記手提げ部との間に、それぞれに直交する方向に補助紐状部材が備えられてなることを特徴とするバッグ。
【請求項５】
請求項１，２，３又は４の何れか１項の記載において、前記手提げ部の下面側には、摩擦係数の高い滑り止材が設けられてなることを特徴とするバッグ。
【請求項６】
収納本体と、手提げ部と、抱持部とを備え、該抱持部は、杖のグリップを抱持すると共に前記手提げ部は前記グリップに吊下げ可能とし、前記抱持部は開口部を有する袋状とし、前記収納本体は、前記抱持部の両面に設けられた２つの収納袋部とから構成され、前記手提げ部は前記抱持部の上方に設けられ、該抱持部の前記開口部は前記収納本体の下端に位置し、前記開口部から前記抱持部内に杖のグリップが挿入可能にされると共に前記抱持部の上方に位置する前記手提げ部に前記グリップが当接可能とし、前記手提げ部は逆袋状とし、前記抱持部と一体化されると共に手提げ孔が形成され、杖のグリップが前記手提げ部の頂部に当接したときに前記手提げ孔の位置が前記グリップの下端位置となるよう設定され、前記手提げ孔から前記グリップを握ることができるようにしてなることを特徴とするバッグ。
【請求項７】
請求項６において、前記収納本体には、着脱自在とした肩掛けベルトが具備されてなることを特徴とするバッグ。
【発明の詳細な説明】
【技術分野】
【０００１】
本発明は、杖のグリップに吊り下げることができ、特に高齢者に重量的負担をかけることのなく待機又は歩行ができる高齢者にやさしいバッグに関する。
【背景技術】
【０００２】
従来、待機時或いは歩行時に、杖を必要とされる高齢者或いは若干足の不自由な人々が外出する際には、杖と共に手提げのバッグを必要とするときがある。このような人々が、一方の手でバッグを持ち、他方の手で杖をつきながら歩行することは、大変な負担がかかるものである。
【０００３】
また、バス停留所や、駅のホーム等で待機しているときには、地面が汚れていたり、雨水が溜まっているときには、バッグを地面に置くと汚れてしまうので、バッグを地面に置きづらいものである。このようなことから、杖を利用してバッグを杖に吊るすことができる工夫が施されたものとして特許文献１が存在する。
【先行技術文献】
【特許文献】
【０００４】
【特許文献１】特開２００２−１５３３１３号公報
【発明の概要】
【発明が解決しようとする課題】
【０００５】
特許文献１では、バッグ本体に装着された２組の提げ手をループ状にして、互いに交じり鎖状に絡ませたものである。そして、２組の提げ手を杖の握り手に引掛けるようにして、杖の握り手にバッグを吊るす状態にすることができるようにしたものである。しかし、２組の提げ手同士を鎖状に交じり合うように絡ませた構成では、バッグ本体を開くときに提げ手同士がバッグの開口に干渉して、バッグ本体からの物の出し入れが行い難く、不便である。
【０００６】
また、２組の提げ手を杖のグリップに引掛け、歩行すると、実際には、杖と共にバッグが上下動し、提げ手提げ部が杖の握り手から外れるおそれも十分にある。そこで、本発明の目的（解決しようとする技術的課題）は、極めて簡単な構造で手提げ部を杖のグリップにひっかけて、手提げ部と共にバッグ本体を吊り下げ、待機姿勢や、歩行を行うことができるバッグを提供することにある。
【課題を解決するための手段】
【０００７】
そこで、発明者は、上記課題を解決すべく、鋭意，研究を重ねた結果、請求項１の発明を、収納本体と、手提げ部と、抱持部とを備え、該抱持部は、杖のグリップを抱持すると共に前記手提げ部は前記グリップに吊下げ可能とし、前記手提げ部は平帯状で且つ前記収納本体の横方向の一方から他方に向けて連結される構成とし、前記抱持部は、前記手提げ部と並列状に配置され、該手提げ部の長手方向中間箇所で且つ幅方向両側から下方に向かって延在する垂下状カバー材が形成され、該両垂下状カバー材にて、前記杖のグリップを挟持状態で抱持可能にすると共に前記両垂下状カバー材は、平帯状の前記手提げ部の下面側に対して重合状態で折り畳み可能とし、前記垂下状カバー材と前記手提げ部との付根部分には折り曲げ易くなるように折りくせが付けられ、且つ前記両垂下状カバー材は、折り曲げた時に相互に干渉しないように、一方の垂下状カバー材を他方の垂下状カバー材よりも上下方向に短く形成されてなるバッグとしたことにより、上記課題を解決した。
【０００８】
請求項２の発明を、請求項１において、前記両垂下状カバー材には、接合具が具備され、該接合具を介して重合状態で前記両垂下状カバー材同士が接合される構成としてなるバッグとしたことにより、上記課題を解決した。請求項３の発明を、収納本体と、手提げ部と、抱持部とを備え、該抱持部は、杖のグリップを抱持すると共に前記手提げ部は前記グリップに吊下げ可能とし、前記手提げ部は平帯状とし、前記抱持部は前記手提げ部の幅方向両側で且つ長手方向に沿って並列に配置された２つの紐状部材としてなるバッグとしたことにより、上記課題を解決した。
【０００９】
請求項４の発明を、請求項３において、前記抱持部を構成する２本の紐状部材と、前記手提げ部との間に、それぞれに直交する方向に補助紐状部材が備えられてなるバッグとしたことにより、上記課題を解決した。請求項５の発明を、請求項１，２，３又は４の何れか１項の記載において、前記手提げ部の下面側には、摩擦係数の高い滑り止材が設けられてなるバッグとしたことにより、上記課題を解決した。
【００１０】
請求項６の発明を、収納本体と、手提げ部と、抱持部とを備え、該抱持部は、杖のグリップを抱持すると共に前記手提げ部は前記グリップに吊下げ可能とし、前記抱持部は開口部を有する袋状とし、前記収納本体は、前記抱持部の両面に設けられた２つの収納袋部とから構成され、前記手提げ部は前記抱持部の上方に設けられ、該抱持部の前記開口部は前記収納本体の下端に位置し、前記開口部から前記抱持部内に杖のグリップが挿入可能にされると共に前記抱持部の上方に位置する前記手提げ部に前記グリップが当接可能とし、前記手提げ部は逆袋状とし、前記抱持部と一体化されると共に手提げ孔が形成され、杖のグリップが前記手提げ部の頂部に当接したときに前記手提げ孔の位置が前記グリップの下端位置となるよう設定され、前記手提げ孔から前記グリップを握ることができるようにしてなるバッグとしたことにより、上記課題を解決した。
【００１１】
請求項７の発明を、請求項６において、前記収納本体には、着脱自在とした肩掛けベルトが具備されてなるバッグとしたことにより、上記課題を解決した。
【発明の効果】
【００１２】
請求項１の発明では、手提げ部に抱持部を備えた構成としたことで、杖のグリップに手提げ部を引掛けた時に、抱持部によって杖のグリップを抱持することができ、手提げ部を極めて安定した状態でグリップに引掛けることができる。また、抱持部によって抱持された杖のグリップは手提げ部から位置がずれないように保持され、手提げ部がグリップから脱することを防止するものである。このように、本発明のバッグは、手提げ部と抱持部とによってグリップを利用して吊り下げることができ、特に高齢者にバッグの重量的負担をかけることのなく待機又は歩行ができる。
【００１３】
さらに、請求項１の発明では、前記手提げ部は平帯状とし、前記抱持部は該手提げ部の長手方向中間箇所で且つ幅方向両側から下方に向かって延在する垂下状カバー材が形成され、該両垂下状カバー材にて、前記杖のグリップを挟持可能とする構成である。つまり、平帯状の手提げ部と、該手提げ部の幅方向両側に形成された両垂下状カバー材によって、手提げ部及び抱持部の長手方向に直交する断面形状は、略門形状となり、この門形状の部分に、杖のグリップをそれぞれの長手方向が一致するようにして、挿入することで、手提げ部はグリップに安定した状態でひっかけることができる。
【００１４】
特に、両垂下状カバー材は、杖のグリップを挟持する状態であるため、グリップに引掛けられた手提げ部は、グリップから極めて外れ難い構造となり、杖及びバッグを使用する人は、安定した状態で待機及び歩行を行うことができる。
【００１５】
請求項２の発明では、前記両垂下状カバー材には、接合具が具備され、該接合具を介して重合状態で前記両垂下状カバー材同士が接合される構成としたことにより、手提げ部を通常のバッグの手提げ部として使用することができる。つまり、杖を必要としない人、或いは足が健康が回復して歩行できるようになった人が本発明のバッグを使用するときには、抱持部を構成する両垂下状カバー材を手提げ部の下面側に折り畳み、この状態を接合具によって保持できるので、両垂下状カバー材が邪魔にならず、通常の手提げ部として使用することができるものである。
【００１６】
請求項３の発明では、抱持部は前記手提げ部の長手方向に沿って並列に配置された２つの紐状部材としたことにより、極めて簡単な構成にできる。請求項４の発明では、抱持部を構成する２本の紐状部材と、前記手提げ部との間に、それぞれに直交する方向に補助紐状部材が備えられたことにより、より一層安定した状態で杖のグリップに手提げ部を引掛けることができる。
【００１７】
請求項５の発明では、前記手提げ部の下面側には、摩擦係数の高い滑り止材が設けられる構成としたので、杖のグリップに対して手提げ部を引掛けると、該手提げ部と前記グリップとの間に位置する滑り止部材によって、手提げ部はグリップから滑ることなく、特に歩行時の揺れ状態に強固に引っ掛かり状態を維持し、より一層安定した状態で手提げ部をグリップに引掛けることができる。
【００１８】
請求項６の発明では、抱持部は開口部を有する袋状とし、前記開口部から前記抱持部内に杖のグリップが挿入可能にされると共に前記抱持部の上方に位置する前記手提げ部に前記グリップが当接可能としたことにより、杖のグリップと共に棒(軸)部分の一部も抱持されることになる。さらに、前記収納本体は、前記抱持部の両面に設けられた２つの収納袋部とから構成されたものである。そして、収納本体の下端の開口部から挿入された杖は、グリップを含めて両収納袋間に位置することになる。
【００１９】
これによって、バッグは、杖のグリップに吊り下げられた状態をバランスの良い極めて安定した状態にすることができ、杖を使用する人に対して、重量的な負担をかけることがない。請求項７の発明では、前記収納本体には、着脱自在とした肩掛けベルトが具備されたことにより、杖を使用しないときには、肩掛けベルトによってバッグを携帯することができる。また、特に杖を使用しない人に対しても十分に普通のバッグとして使用できる。
【図面の簡単な説明】
【００２０】
【図１】（Ａ）は本発明の第１実施形態における斜視図、（Ｂ）は（Ａ）の（α）部拡大図、（Ｃ）は本発明の使用状態を示す斜視図、（Ｄ）は（Ｃ）の（β）部拡大図である。
【図２】（Ａ）は第１実施形態における手提げ部及び抱持部の下方側から見た斜視図、（Ｂ）は（Ａ）のＹ1−Ｙ1矢視拡大断面図、（Ｃ）は（Ａ）のＹ1−Ｙ1矢視において両垂下状カバー材を折り畳んだ状態の拡大断面図、（Ｄ）は第１実施形態の使用状態を示す要部側面図、（Ｅ）は（Ｄ）のＹ2-Ｙ2矢視拡大断面図、（Ｆ）は（Ｄ）のＹ2−Ｙ2矢視において手で握り状態としたときの断面図、（Ｇ）は（Ｄ）のＹ2−Ｙ2矢視において手提げ部に滑り止めを備えた構成の拡大断面図、（Ｈ）は（Ｄ）のＹ2−Ｙ2矢視において両垂下状カバー材に接合具を備えた構成の拡大断面図である。
【図３】（Ａ）は本発明の第２実施形態における斜視図、（Ｂ）は本発明の第２実施形態における使用状態を示す斜視図、（Ｃ）は（Ｂ）の（γ）部拡大図である。
【図４】（Ａ）は本発明の第２実施形態における要部斜視図、（Ｂ）は（Ａ）のＹ3−Ｙ3矢視断面図、（Ｃ）は（Ａ）のＹ4−Ｙ4矢視断面図、（Ｄ）は第２実施形態の使用状態を示す要部側面図、（Ｅ）は（Ｄ）のＹ5-Ｙ5矢視断面図である。
【図５】（Ａ）は本発明の第２実施形態の第１変形例の要部斜視図、（Ｂ）は第２実施形態の第２変形例の要部斜視図である。
【図６】（Ａ）は本発明の第３実施形態の要部斜視図、（Ｂ）は（Ａ）のＹ6−Ｙ6矢視断面図、（Ｃ）は本発明の第３実施形態の使用状態を示す要部側面図である。
【図７】（Ａ）は本発明の第４実施形態の第１タイプにおける斜視図、（Ｂ）は（Ａ）の一部切除したＸ1−Ｘ1矢視図、（Ｃ）は（Ａ）のＹ7−Ｙ7矢視拡大断面図、（Ｄ）は（Ａ）のＸ2−Ｘ2矢視拡大断面図である。
【図８】（Ａ）は本発明の第４実施形態の第２タイプにおける斜視図、（Ｂ）は（Ａ）の背面側の斜視図、（Ｃ）は（Ａ）のＹ8−Ｙ8矢視拡大断面図、（Ｄ）は第４実施形態における使用状態を示す斜視図である。
【図９】（Ａ）は別の実施形態の斜視図、（Ｂ）は（Ａ）のＹ9−Ｙ9矢視拡大断面図、（Ｃ）は別の実施形態における使用状態を示す斜視図、（Ｄ）は（Ｃ）のＹ10−Ｙ10矢視拡大断面図である。
【発明を実施するための形態】
【００２１】
以下、本発明の実施形態を図面に基づいて説明する。本発明は、杖５のグリップ５１にバッグの手提げ部１を引掛け、その状態で立ち止まっていたり、又は歩行ができ、杖５を手にする人に対して収納物で重くなったバッグの重量的な負担を人にかけないようにすることができるものである。
【００２２】
本発明には、複数の実施形態が存在し、全実施形態において、手提げ部１と、抱持部２と、収納本体３とから構成される。特に、抱持部２の構造を中心として、それぞれの実施形態が決定される。まず、第１形態を図１，図２に基づいて説明する。手提げ部１は、収納本体３の上部箇所で、横方向の一方側から他方側に向けて、前記収納本体３の横方向の一端と他端に連結され、そして、手提げ部１には抱持部２が備えられている（図１，図２参照）。
【００２３】
手提げ部１は、その長手方向が収納本体３の上方で且つ横方向の一方から他方に向けて配置され、長手方向両端部分が収納本体３に縫製，リベット接合等の固着手段により固着されている〔図１（Ａ），（Ｂ），（Ｄ）参照〕。手提げ部１，抱持部２及び収納本体３における、材質は、布，革，合成樹脂等であり、必要に応じて金属製の部品等が使用されることもある。そして、手提げ部１，抱持部２と収納本体３とは、同一材質としたり、相互に異なる材質とすることもある。
【００２４】
例えば、収納本体３は布製で、手提げ部１（抱持部２も含む）は革製とする等、その組み合わせは自由である。手提げ部１，抱持部２及び収納本体３は、前述した何れの材質においても、軟質及び硬質の何れも存在する。手提げ部１は、硬質の場合では、手に持ったときに、収納本体３の収納物の重量にもよるが、形状の崩れは少ない。
【００２５】
したがって、硬質な手提げ部１を、アーチ形状又は逆角門形状とした場合〔図２（Ｄ）参照〕では、収納本体３に収納する品物の重量にもよるが、軽量の場合には、手提げ部１を略そのままの形状にて、手にすることができる。また、手提げ部１を軟質材とした場合には、変形し易く、折り畳みが容易で、使用しない場合には、収納本体３内に収納しておくことができる。
【００２６】
手提げ部１は、平帯形状とすることが好ましい〔図１（Ａ），（Ｂ），（Ｄ）等参照〕。これは、一般的な杖のグリップ部分の形状に適応し易いためである。つまり、平帯状とした手提げ部１を杖のグリップに引掛けるときには、手提げ部１の下面側に対して、杖５のグリップ５１の上面側が当接することになり、手提げ部１を平帯形状に形成しておくほうが、グリップ５１と手提げ部１との相互の接触面積を大きくすることができ、接触状態を安定させることができるためである〔図２（Ｅ）参照〕。
【００２７】
抱持部２は、手提げ部１を杖５のグリップ５１に引掛けたときに、グリップ５１を挟持状態とし、手提げ部１と共にグリップ５１を抱持状態にすることができる〔図２（Ｄ），乃至（Ｆ）参照〕。これによって、手提げ部１のグリップ５１に対する引掛け状態をより一層安定させる役目をなす。
【００２８】
第１実施形態において、抱持部２は、平帯状の手提げ部１の長手方向中間箇所で且つその幅方向両側から、下方に向かって延在する２つの垂下状カバー材２１，２１として形成されたものである〔図２（Ａ），（Ｂ）参照〕。ここで、手提げ部１の幅方向とは、長手方向に直交する方向のことである。また、手提げ部１の長手方向と、収納本体３の横方向とは同方向となる。
【００２９】
それぞれの垂下状カバー材２１は、手提げ部１の頂部の領域に形成される。手提げ部１の頂部とは、手提げ部１がアーチ状を形成している状態で、その上部の部分のことである。具体的には、垂下状カバー材２１の長手方向の長さは、手提げ部１を手で握った状態で、この握った部分の長さと略同程度の長さである。そして、手で握った範囲よりも僅かに大きいか、或いは僅かに小さい程度である。
【００３０】
また、両垂下状カバー材２１，２１は、平帯状の手提げ部１の下面側に対して重合状態で折り畳み可能としている〔図２（Ｃ）参照〕。両垂下状カバー材２１，２１は、折り畳み可能な構造とするために、手提げ部１との付根部分を折り曲げ易くなるように、折りくせ２１ａを付けることもある〔図２（Ａ）乃至（Ｃ）参照〕。該折りくせ２１ａは、垂下状カバー材２１と手提げ部１との境となる箇所に筋状の細溝を形成したり、或いは折り目となる箇所に糸による縫い目を設けるものである。
【００３１】
手提げ部１と垂下状カバー材２１，２１との間に折りくせ２１ａを設けることで、手提げ部１及び垂下状カバー材２１，２１は比較的硬質な材質のものが使用でき、例えば肉厚の厚い革又は布等が使用可能となる。手提げ部１と垂下状カバー材２１，２１とを合成樹脂材にて形成されたものでは、折りくせ２１ａ箇所を肉厚が薄くなる筋状薄肉部として形成することにより、垂下状カバー材２１，２１を手提げ部１に対して簡単に折り畳み易くすることができる。
【００３２】
また、両垂下状カバー材２１，２１を手提げ部１に対して折り畳み可能とするために、手提げ部１及び垂下状カバー材２１，２１は、軟質な材質にすることもある。手提げ部１及び垂下状カバー材２１，２１は、一枚の材料から一体的に形成されたり、別々に形成され、両者を縫製等の固着手段にて固着してもよい。
【００３３】
両垂下状カバー材２１，２１を、平帯状の手提げ部１の下面側に折り畳み可能とすることで、杖５を携帯しないときの通常のバッグの手提げ部１として使用することができる。また、両垂下状カバー材２１，２１は、折り曲げた時に相互に干渉しないように、一方の垂下状カバー材２１を他方の垂下状カバー材２１よりも上下方向（収納本体３の縦方向）に短く形成することもある〔図２（Ｂ），（Ｃ）参照〕。
【００３４】
さらに、前記両垂下状カバー材２１，２１には、接合具４が具備されることもある。該接合具４によって、両垂下状カバー材２１，２１が折り畳まれた状態で、両垂下状カバー材２１，２１部同士が接合される構成とすることもある〔図２（Ｈ）参照〕。前記接合具４の具体的な部材としては、布ファスナ又はスナップ等であり、一方の垂下状カバー材２１の内面側にオス型ファスナ４１が装着され、他方の垂下状カバー材２１の外面側にメス型ファスナ４２が装着されたものである。
【００３５】
具体的には、上下方向寸法が大きい方の垂下状カバー材２１の内面側にオス型ファスナ４１が装着され、上下寸法の小さい方の垂下状カバー材２１の外面側にメス型ファスナ４２が装着される〔図２（Ｈ）参照〕。そして、両垂下状カバー材２１，２１がオス型ファスナ４１とメス型ファスナ４２とによって接合され、両垂下状カバー材２１，２１の折り畳み状態が保持される。
【００３６】
前記手提げ部１の下面側には、摩擦係数の高い滑り止材６が設けられることもある〔図２（Ｇ）参照〕。該滑り止材６の具体的な材質としては、ゴム板材等である。このゴム板材に、多数の小突起が設けられたものが使用されることもある。滑り止材６が設けられることによって、手提げ部１をグリップ５１上に引掛けたときに、手提げ部１とグリップ５１とが相互に滑り難くなり、手提げ部１をグリップ５１上に安定した状態で引掛けておくことができる。
【００３７】
そして、手提げ部１と両垂下状カバー材２１，２１とで杖５のグリップ５１を抱持した状態で、人が手提げ部１を握ると、両垂下状カバー材２１，２１は、グリップ５１の下面側領域付近まで抱持する状態でとなり、手提げ部１をグリップ５１に対して強固に引掛けておくことができる〔図２（Ｆ）参照〕。
【００３８】
収納本体３は、略長方形状の袋状体としたものであり、その上方に出し入れ用の開口が存在する。ここで、収納本体３は、正面から見て、略長方形状又は正方形状に形成されたものであり、その水平方向を横方向とする（図１，図２等に横方向を指示している）。また、横方向に直交する方向を縦方向又は上下方向と称する。収納本体３は、正面部３１，背面部３２，マチ部３３，底部３４から構成される。
【００３９】
正面部３１と背面部３２は、収納本体３の説明の便宜上の名称である。実質的に、正面部３１と背面部３２は、同一形状で長方形状又は正方形状に形成されたものであり、本発明を使用しているときには、正面部３１と背面部３２において、その相違点は存在しない。マチ部３３は、縦方向（上下方向）に延長する長方形をなしており、前記正面部３１と背面部３２の幅方向両側に配置され、正面部３１と背面部３２とを連結する役目をなす。
【００４０】
収納本体３の下端に低部３４が配置されており、全体として、略平板状をなしている。前記マチ部３３によって、収納本体３の厚さ方向の寸法が決定される。また、収納本体３には、マチ部３３が存在しないタイプも存在する。
【００４１】
前記手提げ部１は、前述したように、収納本体３の横方向の一方側から他方側に向けて配置され、手提げ部１の付根部１１は、収納本体３の横方向両側箇所に接合される〔図１（Ａ），（Ｂ），（Ｄ）等参照〕。具体的には、収納本体３の幅方向両側にマチ部３３，３３が存在するタイプでは、手提げ部１の長手方向両端は、両マチ部３３，３３に縫製等の手段により連結される。また、マチ部３３が存在しない収納本体３の場合には、該収納本体３の幅方向両側に手提げ部１の長手方向両端が縫製等の手段により連結される。手提げ部１の長手方向と、収納本体３の幅方向とは略同一方向となる。
【００４２】
次に、本発明の第２実施形態を図３乃至図５に示す。前記収納本体３は、第１実施形態と略同等である。前記手提げ部１には、長手方向に沿って並列に配置される抱持部２を備えている。該抱持部２は、杖５のグリップ５１の両側面を挟持するようにして抱持し、グリップ５１の頂部に引掛けた前記手提げ部１と共に、安定した状態で手提げ部１を吊下げ可能としたものである〔図３（Ｃ），図４（Ｄ），（Ｅ）等参照〕。第２実施形態における抱持部２の構成は、２つの紐状部材２２，２２としたものである。
【００４３】
該紐状部材２２，２２は、手提げ部１の長手方向（収納本体３の横方向）に沿って、該手提げ部１と並列となるように該手提げ部１に装着されたものである〔図４（Ａ），（Ｂ）参照〕。そして、手提げ部１の幅方向両側外方、或いは前記収納本体３の前後方向（正面部３１と背面部３２が向かい合う方向）の両側に対応する位置となるようにして、２本の紐状部材２２，２２が配置される。
【００４４】
各紐状部材２２の長手方向両端は、手提げ部１の頂部と前記付根部１１の中間となる位置及びその付近で縫製等の手段にて固着される〔図４（Ａ）乃至（Ｃ）参照〕。紐状部材２２は、手提げ部１と同様の平帯状に形成されることが好ましい。そして、紐状部材２２は、その上下方向が平面となるようにして手提げ部１に装着される〔図４（Ａ）乃至（Ｃ）参照〕。
【００４５】
さらに、抱持部２を構成する２本の紐状部材２２，２２と、前記手提げ部１との間には、それぞれに直交する方向に複数又は一つの補助紐状部材２３，２３，…が備えられている〔図４（Ａ）乃至（Ｃ）参照〕。該補助紐状部材２３，２３，…は、具体的には手提げ部１に対して、その長手方向の中間で且つ幅方向の両側より、それぞれの紐状部材２２，２２に縫製等の手段によって連結される。また、補助紐状部材２３，２３，…は、前記手提げ部１及び紐状部材２２，２２に対して直交（略直交も含む）するように構成されている〔図４（Ａ），（Ｃ），（Ｄ）参照〕。
【００４６】
手提げ部１と両紐状部材２２，２２と補助紐状部材２３，２３，…にて、杖５のグリップ５１が出し入れされる出し入れ口が下方に向く逆カゴ形状となる〔図３（Ａ），（Ｃ），図４等参照〕。これら手提げ部１と両紐状部材２２，２２と補助紐状部材２３，２３，…にて、杖５のグリップ５１を抱持可能な構成となる〔図３（Ｃ），図４（Ｄ），（Ｅ）参照〕。具体的には、グリップ５１の頂部は手提げ部１の下面に接触し、グリップ５１の両側面又は杖５の棒状部が両紐状部材２２，２２によって抱持される。
【００４７】
さらに、両補助紐状部材２３，２３，…は、グリップ５１の両側面を抱持すると共に両紐状部材２２，２２同士が、手提げ部１の幅方向に対して拡がり過ぎないように規制し、手提げ部１と抱持部２によって、杖５のグリップ５１に安定した状態で引掛けることができるようにしている。また、第２実施形態の第１変形例として補助紐状部材２３，２３，…を二本とすることもある〔図５（Ａ）参照〕。さらに、第２実施形態に第２変形例として抱持部２では、紐状部材２２，２２のみを有し、補助紐状部材２３，２３，…は設けられないこともある〔図５（Ｂ）参照〕。
【００４８】
次に、第３実施形態における抱持部２として、椀状部材２４を備えたものである（図６参照）。椀状部材２４は、所定の面積を有した面材で、前記手提げ部１の上方付近の部分で下方に向かって垂れ下がるように形成されたものである〔図６（Ａ），（Ｂ）参照〕。椀状部材２４は、布，合成樹脂，紙等の軟質材にて、略逆船底形状に形成されたものである。そして、椀状部材２４の上端縁と手提げ部１の下面側とが縫製等の手段にて固着されている。これら手提げ部１と椀状部材２４にて、手提げ部１の上方側で且つ下方に開口部を有する袋体状とした抱持部２が構成される〔図６（Ｂ）参照〕。
【００４９】
この第３実施形態では、手提げ部１と椀状部材２４によって構成された袋状の部位に下方に対向する開口部より杖５のグリップ５１を挿入し、該グリップ５１に本発明における手提げ部１を吊り下げるものである〔図６（Ｃ）参照〕。特に、椀状部材２４は、軟質の布材のとすることが好ましい。つまり、椀状部材２４を軟質材とすることにより、人が手提げ部１を握ったときに、椀状部材２４は、一緒に握ることができるものである。
【００５０】
次に、本発明の第４実施形態を説明する。この第４実施形態には第１タイプと第２タイプとが存在し、まず第１タイプを図７に基づいて説明する。この第４実施形態の第１タイプでは、第１乃至第３実施形態と同様に、手提げ部１と、抱持部２と、収納本体３とを備えたものである（図７，図８参照）。抱持部２は、収納本体３を構成する正面部３１と背面部３２との間に位置して形成されている〔図７（Ｂ），（Ｃ），（Ｄ）参照〕。
【００５１】
具体的には、抱持部２は、対向する二つの抱持半体２５，２５から構成される。両抱持半体２５，２５は、抱持部２を構成すると共に、収納本体３を構成する一部となる。両抱持半体２５，２５の一方が前記正面部３１と対向して両側及び下側が縫着され、他方は背面部３２と対向して両側及び下側が縫着され、抱持部２を中心としてその前後方向両側に対向する収納袋３５，３５が構成される〔図７（Ｃ）参照〕。
【００５２】
そして、抱持部２の下端は、収納本体３の底部３４と略同一位置に存在している〔図７（Ｂ），（Ｃ）参照〕。手提げ部１は、抱持部２の上端と連続して一体的に形成されたものである。収納本体３の両収納袋３５，３５の間から上方に突出するように形成されている〔図７（Ａ），（Ｃ）参照〕。
【００５３】
手提げ部１は、頂部１ａが閉鎖された構造である。つまり、手提げ部１は、逆袋状としたものである。これによって、手提げ部１と一体化された抱持部２は、袋状に形成され、開口部２ａは下端に位置している〔図７(Ｂ)，（Ｃ）参照〕。手提げ部１には、抱持部２の上端より僅かに下方に位置する手提げ孔１２が形成されている〔図７（Ａ），（Ｃ）参照〕。該手提げ孔１２は、収納本体３の横方向に延長する長孔として形成されている〔図７（Ａ）参照〕。
【００５４】
このように抱持部２は、袋状をなし、収納本体３の内部に位置して、該収納本体３を前後方向において、二つの収納袋３５，３５に仕切る仕切り材としての役目をなしている〔図７(Ｃ)，（Ｄ）参照〕。また、抱持部２の開口部２ａは、収納本体３の底部３４の位置に位置し、下方に向くように設定されている〔図７(Ｂ)，（Ｃ）参照〕。
【００５５】
そして、抱持部２の下部に位置する開口部２ａから杖５のグリップ５１を挿入可能とし、該グリップ５１の頂部が袋状抱持部２を通過して、抱持部２と一体的に連続形成された手提げ部１の頂部に当接可能な構成にされている。杖５のグリップ５１が手提げ部１の頂部に当接したときには、手提げ孔１２とした手提げ部１の位置がグリップ５１の略下端位置となるように、手提げ孔１２の位置が設定される〔図７（Ｃ）参照〕。これによって、バッグと杖５の使用者は、バッグを持つ手の指を手提げ孔１２に差し込みながら、同時にグリップ５１を握ることができる。
【００５６】
この第４実施形態の第１タイプでは、収納本体３の底部３４に形成された抱持部２の開口部２ａから、杖５をグリップ５１側から挿入する。抱持部２に挿入された杖５のグリップ５１は、抱持部２と、該抱持部２の上方にて一体的に連続する手提げ部１によって抱持され、該手提げ部１の手提げ孔１２と共にグリップ５１を握ることで本発明のバッグを、杖５のグリップ５１に引掛けることができ、且つそのまま歩行することもできる。
【００５７】
図８は、第４実施形態の第２タイプである。基本的な構成は、第１タイプと略同等であり、抱持部２は、対向する二つの抱持半体２５，２５から構成され、両抱持半体２５，２５と共に収納袋３５，３５が構成される〔図８（Ｃ）参照〕。手提げ部１は、抱持部２の上端と連続して一体的に形成されたものであり、手提げ部１の頂部１ａは、別部材として具備され、手提げ部１の頂部となる箇所に頂部１ａを構成する材料が縫着されている。収納本体３の両収納袋３５，３５の間から上方に突出するように形成されている。
【００５８】
収納本体３は正面部３１側と背面部３２側とで構造が異なり、一方（正面部３１側）の収納袋３５には、横方両側にマチ部３３，３３が設けられ前後（奥行）方向に収縮自在な構成となっている。また、収納袋３５には、蓋部３６が備わっており、スナップ３９にて閉じ状態を維持することができるようになっている。
【００５９】
また、他方（背面部３２側）の収納袋３５は、前記マチ部３３が設けられていない構成である。また、必要に応じてスナップ３９ａが設けられ閉じ状態を維持できる構成となっている。さらに、他方（背面部３２側）の収納袋３５には、ポケット３７が備わっており、該ポケット３７の開口部３７ａにはファスナ３９ｂが備わっている〔図８(Ｂ)参照〕。ポケット３７は、収納袋３５の上下方向に対して、水平方向に沿って収納物を収納する構成である。
【００６０】
また、収納本体３には肩掛けベルト３８が備わっている。該肩掛けベルト３８は、収納本体３に対して着脱自在とし、肩掛けベルト３８を使用するときには、バッグの使用者は肩掛けベルト３８を肩にかけて使用する。肩掛けベルト３８は、そのベルトの両端が収納本体３の前後方向両側に跨ると共に、収納本体３の横方向両端に接続される〔図８(Ａ)，（Ｂ）参照〕。
【００６１】
肩掛けベルト３８のベルト部３８ｃの両端には、着脱金具３８ａ，３８ａが具備されている。また、収納本体３側の横方向両端には、被装着用金具３８ｂ，３８ｂが装着されている。着脱自在に接続される〔図８(Ａ)，（Ｂ）参照〕。そして、バッグの使用者は、肩掛けベルト３８を使用する場合には、肩掛けベルト３８の両着脱金具３８ａ，３８ａを、収納本体３側の被装着用金具３８ｂ，３８ｂに接続して、肩掛けベルト３８に収納本体３を吊るすようにして使用するものである。
【００６２】
次に、本発明とは別の実施形態を説明する。この別の実施形態では、二つの収納本体３，３と該収納本体３，３に一体形成された手提げ部１，１から構成されたものである（図９参照）。二つの収納本体３，３及び手提げ部１，１は、同一形状をなしている。具体的には、それぞれの収納本体３の背面部３２，３２の上端より手提げ部１，１が突出するように形成されている。両手提げ部１，１にはそれぞれ手提げ孔１２，１２が形成されている〔図９（Ａ），（Ｂ）参照〕。
【００６３】
そして、両収納本体３，３の背面部３２，３２の幅方向の端部同士が連結され、左右対称で折り畳み可能な構成となっている。そして、一方の収納本体３の背面部３２には、抱持部２が備わっている。該抱持部２は、その上方で手提げ部１と一体的に連続形成される。抱持部２の開口部２ａは、背面部３２の縦方向（高さ方向）の略中間位置に形成されている。
【００６４】
両収納本体３，３及び両手提げ部１，１は、折り畳まれた状態で、両手提げ孔１２，１２同士は位置が一致するようになっている。この他の実施形態５では、前記抱持部２の下端の開口部２ａから杖５を、グリップ５１側から挿入する。抱持部２に挿入された杖５のグリップ５１は、抱持部２と、該抱持部２の上方にて連結する手提げ部１によって抱持され、該手提げ部１の手提げ孔１２と共にグリップ５１を握ることで本発明のバッグを、杖５のグリップ５１に引掛けることができ、且つそのまま歩行することもできる〔図９（Ｃ），（Ｄ）参照〕。
【００６５】
また、両収納本体３，３及び両手提げ部１，１を折り畳む状態で杖５のグリップ５１を挟持する構成となる。また、両収納本体３，３及び両手提げ部１，１を折り畳む状態み、その状態を維持するために、接合具４が備わることもある。該接合具４は、一方の収納本体３に装着されたベルト部４３に組み付けられた雄ホックと、他方の収納本体３に装着された雌ホックとからなる。
【符号の説明】
【００６６】
１…手提げ部１…抱持部、２１…垂下状カバー材、２２…紐状部材、
２３…補助紐状部材、２４…椀状部材、３…収納本体、４…接合具、５…杖、
５１…グリップ、６…滑り止材。
【要約】
【目的】杖のグリップに吊り下げることができ、特に高齢者に重量的負担をかけることのなく待機又は歩行ができる高齢者にやさしいバッグを提供すること。
【背景技術】
【構成】
収納本体３と、該収納本体３の横方向の一方から他方に向けて連結される手提げ部１と、抱持部２とを備えること。該抱持部２は、前記手提げ部１と並列状に配置され、前記抱持部２は杖５のグリップ５１を抱持すると共に前記手提げ部１は前記グリップ５１に吊下げ可能としてなること。
【選択図】      図１【図１】
0005833262.tif 000002
【図２】
0005833262.tif 000003
【図３】
0005833262.tif 000004
【図４】
0005833262.tif 000005
【図５】
0005833262.tif 000006
【図６】
0005833262.tif 000007
【図７】
0005833262.tif 000008
【図８】
0005833262.tif 000009
【図９】
0005833262.tif 000010